(57)【要約】【課題】検出対象の検出精度を維持又は向上することが可能となる、火災検出装置を提供することを目的とする。【解決手段】火災検出装置１は、監視領域の火災を検出するための火災検出装置であって、筐体と、筐体の内部において、筐体の外部から流入した気体に含まれる第１検出対象の検出を行うための流入空間、一酸化炭素検出空間６１、及び煙検出空間と、筐体の外部に位置する熱検出空間であって、第２検出対象の検出を行うための熱検出空間と、筐体に設けられた第１仕切壁１５０及び第２仕切壁１６０であって、流入空間又は一酸化炭素検出空間に流入した気体が熱検出空間に流出することを抑制可能となるように、流入空間、一酸化炭素検出空間、又は熱検出空間を仕切るための第１仕切壁１５０及び第２仕切壁１６０と、を備えた。【選択図】図４
2020035296.tif 000002
【特許請求の範囲】
【請求項１】
監視領域の火災を検出するための火災検出装置であって、
筐体と、
前記筐体の内部において、前記筐体の外部から流入した気体に含まれる第１検出対象の検出を行うための第１検出空間と、
前記筐体の内部又は外部に位置する第２検出空間であって、第２検出対象の検出を行うための第２検出空間と、
前記筐体に設けられた仕切壁であって、前記第１検出空間に流入した前記気体が前記第２検出空間に流出することを抑制可能となるように、前記第１検出空間又は前記第２検出空間を仕切るための仕切壁と、
を備えた火災検出装置。
【請求項２】
前記第１検出空間は、
前記第１検出対象の検出が行われる第１検出空間本体と、
前記第１検出対象を含む前記気体を前記第１検出空間本体に流入させるための流入空間と、を含み、
前記筐体の部分のうち前記流入空間と対向する部分に設けられた挿通孔であり、前記第２検出対象を検出するための第２検出対象検出手段であって前記筐体に収容されている第２検出対象検出手段の一部を前記第２検出空間に挿通させるための挿通孔を備え、
前記仕切壁を、前記流入空間において前記挿通孔及び前記第２検出対象検出手段の周囲の少なくとも一部を囲繞するように構成した、
請求項１に記載の火災検出装置。
【請求項３】
前記筐体に設けられた流入孔であり、前記第１検出対象を含む前記気体を前記第１検出空間に流入させるための流入孔と、
前記第１検出対象を検出するための第１検出対象検出手段であって、前記第１検出空間に収容された第１検出対象検出手段と、を備え、
前記仕切壁を、前記第１検出空間において前記流入孔及び前記第１検出対象検出手段の周囲の少なくとも一部を囲繞するように構成した、
請求項１に記載の火災検出装置。
【請求項４】
前記筐体と前記仕切壁とを相互に一体に形成した、
請求項１から３のいずれか一項に記載の火災検出装置。
【請求項５】
前記第１検出対象は、煙又は一酸化炭素であり、
前記第２検出対象は、熱である、
請求項１から４のいずれか一項に記載の火災検出装置。
【発明の詳細な説明】
【技術分野】
【０００１】
本発明は、火災検出装置に関する。
【背景技術】
【０００２】
従来、監視領域の火災を検出する感知器を対象として、熱及び一酸化炭素を検出することが可能な技術が提案されている。この技術においては、筐体に収容された一酸化炭素検知部であって、筐体の内部に位置する検出空間（以下、「第１検出空間」と称する）の一酸化炭素を検出する一酸化炭素検知部と、筐体に収容された熱検知部であって、筐体の外部に位置する検出空間（以下、「第２検出空間」と称する）の熱を検出する熱検知部と、を備えた感知器が構成されている。また、筐体には、第１検出空間に一酸化炭素を含む気体を流入させるための流入口と、熱検知部の一部を第２検出空間に挿通させるための挿通孔とが設けられている（例えば、特許文献１参照）。
【先行技術文献】
【特許文献】
【０００３】
【特許文献１】特開２０１４−１９９６３２号公報
【発明の概要】
【発明が解決しようとする課題】
【０００４】
しかしながら、上記従来の技術においては、上述したように、筐体に流入口及び挿通孔が設けられているので、例えば、流入口を介して第１検出空間に流入した気体（具体的には、一酸化炭素の如き第１検出対象を含む気体）が挿通孔を介して第２検出空間に流出することにより、当該流出した気体によって熱の如き第２検出対象を正確に検出することが難しくなることから、第２検出対象の検出精度を維持する観点からは、改善の余地があった。
【０００５】
本発明は上記問題に鑑みてなされたもので、検出対象の検出精度を維持又は向上することが可能となる、火災検出装置を提供することを目的とする。
【課題を解決するための手段】
【０００６】
上述した課題を解決し、目的を達成するために、請求項１に記載の火災検出装置は、監視領域の火災を検出するための火災検出装置であって、筐体と、前記筐体の内部において、前記筐体の外部から流入した気体に含まれる第１検出対象の検出を行うための第１検出空間と、前記筐体の内部又は外部に位置する第２検出空間であって、第２検出対象の検出を行うための第２検出空間と、前記筐体に設けられた仕切壁であって、前記第１検出空間に流入した前記気体が前記第２検出空間に流出することを抑制可能となるように、前記第１検出空間又は前記第２検出空間を仕切るための仕切壁と、を備えた。
【０００７】
請求項２に記載の火災検出装置は、請求項１に記載の火災検出装置において、前記第１検出空間は、前記第１検出対象の検出が行われる第１検出空間本体と、前記第１検出対象を含む前記気体を前記第１検出空間本体に流入させるための流入空間と、を含み、前記筐体の部分のうち前記流入空間と対向する部分に設けられた挿通孔であり、前記第２検出対象を検出するための第２検出対象検出手段であって前記筐体に収容されている第２検出対象検出手段の一部を前記第２検出空間に挿通させるための挿通孔を備え、前記仕切壁を、前記流入空間において前記挿通孔及び前記第２検出対象検出手段の周囲の少なくとも一部を囲繞するように構成した。
【０００８】
請求項３に記載の火災検出装置は、請求項１に記載の火災検出装置において、前記筐体に設けられた流入孔であり、前記第１検出対象を含む前記気体を前記第１検出空間に流入させるための流入孔と、前記第１検出対象を検出するための第１検出対象検出手段であって、前記第１検出空間に収容された第１検出対象検出手段と、を備え、前記仕切壁を、前記第１検出空間において前記流入孔及び前記第１検出対象検出手段の周囲の少なくとも一部を囲繞するように構成した。
【０００９】
請求項４に記載の火災検出装置は、請求項１から３のいずれか一項に記載の火災検出装置において、前記筐体と前記仕切壁とを相互に一体に形成した。
【００１０】
請求項５に記載の火災検出装置は、請求項１から４のいずれか一項に記載の火災検出装置において、前記第１検出対象は、煙又は一酸化炭素であり、前記第２検出対象は、熱である。
【発明の効果】
【００１１】
請求項１に記載の火災検出装置によれば、筐体の内部において、筐体の外部から流入した気体に含まれる第１検出対象の検出を行うための第１検出空間と、筐体の外部に位置する第２検出空間であって、第２検出対象の検出を行うための第２検出空間と、筐体に設けられた仕切壁であって、第１検出空間に流入した気体が第２検出空間に流出することを抑制可能となるように、第１検出空間又は第２検出空間を仕切るための仕切壁と、を備えたので、第１検出空間に流入した気体が第２検出空間に流出することを抑制できる。よって、仕切壁を設けない場合に比べて、上記流入した気体によって検出手段による第２検出対象の検出が阻害されることを回避でき、第２検出対象の検出精度を維持又は向上することが可能となる。
【００１２】
請求項２に記載の火災検出装置によれば、筐体の部分のうち流入空間と対向する部分に設けられた挿通孔であり、第２検出対象検出手段の一部を第２検出空間に挿通させるための挿通孔を備え、仕切壁を、流入空間において挿通孔及び第２検出対象検出手段の周囲の少なくとも一部を囲繞するように構成したので、流入空間に流入した気体が挿通孔を介して第２検出空間に流出することを効果的に抑制でき、第２検出対象の検出精度を維持しやすくなる。
【００１３】
請求項３に記載の火災検出装置によれば、筐体に設けられた流入孔と、第１検出対象を検出するための第１検出対象検出手段とを備え、仕切壁を、第１検出空間において流入孔及び第１検出対象検出手段の周囲の少なくとも一部を囲繞するように構成したので、流入孔を介して第１検出空間に流入された気体が第２検出空間に流出することを効果的に抑制でき、第２検出対象の検出精度を維持しやくすくなる。
【００１４】
請求項４に記載の火災検出装置によれば、筐体と仕切壁とを相互に一体に形成したので、筐体と仕切壁とを別体に形成した場合に比べて、仕切壁を筐体に取り付ける手間を省略でき、火災検出装置の製造性を向上できる。また、火災検出装置の部品数を低減でき、火災検出装置の製造に伴う環境負荷を低減できる。
【００１５】
請求項５に記載の火災検出装置によれば、第１検出対象が煙又は一酸化炭素であり、第２検出対象が熱であるので、煙又は一酸化炭素を含む気体が第２検出空間に流出することを抑制でき、熱の検出精度を維持又は向上することが可能となる。
【図面の簡単な説明】
【００１６】
【図１】実施の形態に係る火災検出装置の取付状況を示す側面図である。
【図２】取付ベースを取り外した状態の火災検出装置を示す図であり、（ａ）は平面図、（ｂ）は底面図である。
【図３】図２（ｂ）のＡ−Ａ矢視断面図である。
【図４】内カバーを示す図であり、（ａ）は平面図、（ｂ）は底面図である。
【発明を実施するための形態】
【００１７】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１８】
〔Ｉ〕実施の形態の基本的概念
まず、実施の形態の基本的概念について説明する。実施の形態は、概略的に、監視領域の火災を検出するための火災検出装置に関するものである。
【００１９】
ここで、「火災検出装置」は、実施の形態では、複数の検出対象の検出結果に基づいて監視領域の火災を検出して報知する装置であり、例えば、熱学的且つ電気学的な火災感知器や火災警報器、熱学的且つ光学的な火災感知器や火災警報器、又は、熱学的、電気学的、且つ光学的な火災感知器や火災警報器等を含む概念である。また、「監視領域」とは、監視の対象となる領域であって、例えば、建物の内部の領域、建物の外部の領域等を含む概念である。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、熱学的、電気学的、且つ光学的な火災感知器」であり、「監視領域」が「オフィスビルの内部の領域」である場合について説明する。
【００２０】
〔ＩＩ〕実施の形態の具体的内容
次に、実施の形態の具体的内容について説明する。
【００２１】
（構成）
まず、実施の形態に係る火災検出装置の構成について説明する。図１は、実施の形態に係る火災検出装置の取付状況を示す側面図である。図２は、後述の取付ベースを取り外した状態の火災検出装置を示す図であり、（ａ）は平面図、（ｂ）は底面図である。図３は、図２（ｂ）のＡ−Ａ矢視断面図である。図４は、内カバー３０を示す図であり、（ａ）は平面図、（ｂ）は底面図である。以下の説明では、図１のＸ方向を火災検出装置の左右方向（＋Ｘ方向を火災検出装置の左方向、−Ｘ方向を火災検出装置の右方向）、図２のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。
【００２２】
火災検出装置１は、図１に示すように、建物の屋内において建物の天井部の下面にある設置面２に設置されており、図１から図３に示すように、取付ベース１０、外カバー２０、内カバー３０、流入空間４０、防虫網５０、一酸化炭素検出空間６１、熱検出空間６２、煙検出空間６３、検出部カバー７０、検出部本体８０、端子盤９０、及び基板１００を備えている。なお、「流入空間４０」、「一酸化炭素検出空間６１」、及び「煙検出空間６３」からなる空間は、特許請求の範囲における「第１検出空間」に対応する。
【００２３】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図１に示すように、設置面２に対して固定具等によって固定されている。
【００２４】
（構成−外カバー）
外カバー２０は、内カバー３０、流入空間４０、防虫網５０、一酸化炭素検出空間６１、煙検出空間６３、検出部カバー７０、検出部本体８０、端子盤９０、及び基板１００を覆うカバーである。この外カバー２０は、例えば遮光性を有する樹脂材にて形成されており、図１から図３に示すように、外カバー本体２１、天面部２２、第１リブ部２３、及び第２リブ部２４を備えている。
【００２５】
このうち、外カバー本体２１は、外カバー２０の基本構造体である。この外カバー本体２１は、例えば上面及び下面が開放された略中空円柱状体にて形成されており、図１に示すように、外カバー本体２１の上端部が取付ベース１０の下面と当接するように配置され、取付ベース１０に対して嵌合構造（又は固定具）等によって固定されている。
【００２６】
また、天面部２２は、流入空間４０を区画するための区画手段である。この天面部２２は、例えば略円形状の板状体にて形成されており、図１から図３に示すように、外カバー本体２１よりも下方において略水平に設けられている。
【００２７】
また、第１リブ部２３は、流入空間４０を区画するための区画手段である。この第１リブ部２３は、略板状体にて形成され、外カバー本体２１と天面部２２との相互間において垂直に設けられており、具体的には、図１、図３に示すように、外カバー２０の中央付近から放射状に複数設けられ、外カバー本体２１及び天面部２２に対して接続されている。
【００２８】
また、第２リブ部２４は、流入空間４０を区画するための区画手段である。この第２リブ部２４は、略板状体にて形成され、外カバー本体２１と天面部２２との相互間において垂直に設けられており、具体的には、図１、図３に示すように、隣接する第１リブ部２３の内側端部同士の相互間に設けられ、外カバー本体２１及び天面部２２に対して接続されている。なお、外カバー２０の構成の詳細については、後述する。
【００２９】
（構成−流入空間）
図１に戻り、流入空間４０は、火災検出装置１の外部から煙又は一酸化炭素を含む気体を火災検出装置１の内部に流入させるための空間である。この流入空間４０は、外カバー２０の内部において複数形成されて、具体的には、図１、図３に示すように、外カバー２０の内部空間のうち、天面部２２、第１リブ部２３、第２リブ部２４、及び内カバー３０によって囲繞された空間が流入空間４０として形成されている。なお、上述した「煙」及び「一酸化炭素」は、特許請求の範囲における「第１検出対象」に対応する。
【００３０】
（構成−内カバー）
内カバー３０は、一酸化炭素検出空間６１、煙検出空間６３、検出部カバー７０、検出部本体８０、及び基板１００を覆うカバーであると共に、流入空間４０を区画するための区画手段である。この内カバー３０は、例えば、上面が開放された略中空円柱状体であり、遮光性を有する樹脂材にて形成されており、図３に示すように、外カバー２０の内部において、内カバー３０の下側側部が流入空間４０を介して外カバー２０の天面部２２と対向するように設けられている。
【００３１】
また、図３、図４に示すように、内カバー３０の下側側部には、第１開口部３０ａ及び流入孔３０ｂが設けられている。第１開口部３０ａは、流入空間４０に流入された気体を煙検出空間６３に送るための開口であり、図３に示すように、内カバー３０の下側側部のうち略中央部及びその近傍部分に設けられている。また、流入孔３０ｂは、流入空間４０に流入された気体を一酸化炭素検出空間６１に送るための開口であり、図４に示すように、内カバー３０に１つ設けられ、具体的には、内カバー３０の下側側部のうち一酸化炭素検出空間６１と対向する部分に設けられている。なお、内カバー３０の構成の詳細については、後述する。また、上述した「外カバー２０」及び「内カバー３０」は、特許請求の範囲における「筐体」に対応する。
【００３２】
（構成−一酸化炭素検出空間）
一酸化炭素検出空間６１は、一酸化炭素の検出が行われる第１検出空間本体であり、図４に示すように、内カバー３０の内部に位置する空間のうち、後述する第１仕切壁１５０及び基板１００によって囲繞される空間が一酸化炭素検出空間６１として形成されている。
【００３３】
（構成−熱検出空間）
図３に戻り、熱検出空間６２は、熱の検出を行うための第２検出空間であり、図３に示すように、外カバー２０の外部に位置する空間のうち、後述する挿通孔１２０の近傍に位置する空間が熱検出空間６２として形成されている。なお、上述した「熱」は、特許請求の範囲における「第２検出対象」に対応する。
【００３４】
（構成−煙検出空間）
煙検出空間６３は、煙の検出が行われる第１検出空間本体であり、図３に示すように、内カバー３０の内部に位置する空間のうち、検出部カバー７０及び検出部本体８０によって囲繞される空間が煙検出空間６３として形成されている。
【００３５】
（構成−検出部カバー）
検出部カバー７０は、煙検出空間６３を区画するための区画手段であると共に、煙検出空間６３に外乱光が入射することを抑制するための入射抑制手段である。この検出部カバー７０は、上面が開放された略中空円柱状体であり、遮光性を有する樹脂材にて形成されている。また、この検出部カバー７０は、図３に示すように、内カバー３０の内部において、検出部カバー７０の下側側部が第１開口部３０ａ及び流入空間４０を介して外カバー２０の天面部２２と対向するように配置され、検出部本体８０に対して嵌合構造等によって固定されている。また、図３に示すように、検出部カバー７０の下側側部には、第２開口部７０ａが形成されている。第２開口部７０ａは、第１開口部３０ａから送られた気体を煙検出空間６３に流入するための開口であり、図３に示すように、検出部カバー７０の下側側部のうち第１開口部３０ａと対応する部分に設けられている。
【００３６】
（構成−防虫網）
防虫網５０は、火災検出装置１の外部にいる虫が煙検出空間６３に侵入するのを防止するための網である。この防虫網５０は、メッシュ状且つ円形状の網を用いて構成されており、図３に示すように検出部カバー７０に取り付けられている。
【００３７】
（構成−検出部本体）
検出部本体８０は、検出部カバー７０を取り付けるための取付手段であり、煙検出空間６３に外乱光が入射することを抑制するための入射抑制手段である。この検出部本体８０は、例えば遮光性を有する樹脂材にて形成されており、図３に示すように、検出部カバー７０の上面を覆うように配置されており、基板１００に対して固定具等によって固定されている。また、この検出部本体８０には、後述する第１発光部、後述する第２発光部、及び後述する受光部の各々を支持するための支持部（図示省略）がそれぞれ設けられている。さらに、この検出部本体８０には、後述する第１発光部、後述する第２発光部、及び後述する受光部の各々と煙検出空間６３との間の光路を形成するための光路孔（図示省略）がそれぞれ形成されている。
【００３８】
（構成−端子盤）
端子盤９０は、内カバー３０、検出部カバー７０、検出部本体８０、及び基板１００を収容するための収容手段である。この端子盤９０は、下面が開放された略中空円柱状であり、例えば遮光性を有する樹脂材にて形成されている。また、この端子盤９０は、図３に示すように、内カバー３０、検出部カバー７０、検出部本体８０、及び基板１００を上方から覆うように設けられ、外カバー２０に対して嵌合構造等によって固定されていると共に、且つ取付ベース１０に対して取付部材９１に形成された第１取付孔９１ａを介して固定具等によって固定されている。
【００３９】
（構成−基板）
基板１００は、各種の電気回路（図示省略）が実装される実装手段である。この基板１００は、例えば公知の平板状の回路基板等を用いて構成されており、図３に示すように、端子盤９０の内部において、端子盤９０の上端部及び下端部と間隔を隔てて略水平に配置され、端子盤９０に対して端子盤９０に形成された取付孔（図示省略）及び取付部材９１に形成された第２取付孔９１ｂを介して固定具によって固定されている。
【００４０】
また、基板１００には、従来の火災検出装置１に用いられる公知の電子部品が実装されていることに加えて、図３に示すように、煙検知部（図示省略）、一酸化炭素検知部（図示省略）、熱感知部１１０、表示部（図示省略）、通信部（図示省略）、電源部（図示省略）、制御部（図示省略）、及び記憶部（図示省略）が実装されている。
【００４１】
（構成−基板−煙検知部）
このうち、煙検知部は、煙を検出するための第１検出対象検出手段である。この煙検知部は、例えば公知の煙検知手段を用いて構成され、第１発光部、第２発光部、及び受光部を備えている（いずれも図示省略）。ここで、第１発光部は、煙検出空間６３に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を煙検出空間６３に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が検出部本体８０の各種の光路孔を介して直接的に受光部されることを回避できるように設置している。例えば、第１発光部の光軸（以下、「第１発光側光軸」と称する）と受光部の光軸（以下、「受光側光軸」と称する）との角度が１３５°程度となる位置に、第１発光部及び受光部を設置する。また、第２発光部の光軸（以下、「第２発光側光軸」と称する）と受光側光軸との角度が９０°程度となる位置に、第２発光部及び受光部を設置している。
【００４２】
（構成−基板−一酸化炭素検知部、熱感知部）
また、一酸化炭素検知部は、一酸化炭素を検出するための第１検出対象検出手段である。この一酸化炭素検知部は、例えば公知の一酸化炭素検知素子（一例として、ＣＯセンサ等）を用いて構成され、基板１００の部分のうち流入孔３０ｂに対応する部分に設けられている（すなわち、内カバー３０の内部において流入孔３０ｂの近傍位置に設けられている）。また、熱感知部１１０は、熱を検出するための第２検出対象検出手段である。この熱感知部１１０は、例えば公知の熱感知素子（一例として、サーミスタ等）を用いて構成されており、図３に示すように、検出部カバー７０及び検出部本体８０の各々に設けられた挿通孔（図示省略）、後述する内カバー３０の挿通孔１４０ａ、並びに後述する外カバー２０の挿通孔１２０を介して熱感知部１１０の一部が熱検出空間６２に挿通されるように配置されている。
【００４３】
（構成−基板−表示部、通信部、電源部）
また、表示部は、火災検出装置１の外部に向けて光（以下、「表示光」と称する）を照射することにより所定情報（例えば、火災の検出の有無を示す情報）を表示するための表示手段であり、例えば公知の表示手段（ＬＥＤ等）を用いて構成されている。また、この表示部の投光方法については任意であるが、例えば、検出部カバー７０及び検出部本体８０の各々に設けられた挿通孔（図示省略）、後述する内カバー３０の挿通孔１４０ｂ、並びに後述する外カバー２０の挿通孔１２０に挿通されたライトガイド（図示省略）を介して表示部からの表示光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００４４】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００４５】
（構成−外カバーの構成の詳細）
図１に戻り、次に、外カバー２０の構成の詳細について説明する。ただし、この外カバー２０は、特記する場合を除いて、任意の形状、方法、及び材質で製造することができる。
【００４６】
実施の形態では、図１から図３に示すように、外カバー２０の側部のうち設置面２側の側部とは反対側の側部である天面部２２には、挿通孔１２０及びガード部１３０が設けられている。
【００４７】
（構成−外カバーの構成の詳細−挿通孔）
挿通孔１２０は、熱感知部１１０の一部を熱検出空間６２に挿通させると共に、表示部からの表示光を火災検出装置１の外部に照射するための貫通孔である。
【００４８】
ここで、挿通孔１２０の具体的な形状及び大きさについては任意であるが、実施の形態では、挿通孔１２０の平面形状については、図２（ｂ）に示すように、略楕円形状に設定している（あるいは、四角形状等の多角形状であってよい）。また、挿通孔１２０の径については、熱感知部１１０の一部のみを熱検出空間６２に露出させることができ、且つ表示光を火災検出装置１の外部に照射することが可能な大きさに設定しており、例えば、熱感知部１１０の径とライトガイドの径とを加算した長さよりも長く設定している。
【００４９】
また、挿通孔１２０の形成方法については任意であるが、流入空間４０と対向する部分に形成しており、具体的には、図２（ｂ）に示すように、天面部２２における右側部分に形成している。この場合には、例えば、熱感知部１１０及び表示部は、基板１００の部分のうち挿通孔１２０と対応する部分又はその近傍に設置されてもよい。このような形成方法により、挿通孔１２０を天面部２２の中央部に形成する場合に比べて、熱感知部１１０及び表示部の取付上の制約を受けにくいことから、熱感知部１１０及び表示部の取付性を維持できる。
【００５０】
このような挿通孔１２０により、挿通孔１２０を介して熱感知部１１０の一部が熱検出空間６２に挿通させることができると共に、表示部からの表示光を挿通孔１２０を介して火災検出装置１の外部に向けて照射することができる。
【００５１】
（構成−外カバーの構成の詳細−ガード部）
図１に戻り、ガード部１３０は、熱感知手段を保護するためのガード手段である。このガード部１３０は、図１から図３に示すように、熱感知部１１０における火災検出装置１の外部に露出する部分及び挿通孔１２０の周囲を覆うように設けられている。また、このガード部１３０は、複数の長尺なリブ１３１（以下、「ガード側リブ１３１」と称する）を組み合わせて構成されており、具体的には、図１から図３に示すように、複数のガード側リブ１３１の各々の長手方向が上下方向に略沿うように設けられている（図２（ｂ）、図３では、若干傾斜して設けられている）と共に、相互に間隔を隔てて天面部２２の下面に対して立設されている。
【００５２】
このような構成により、ガード部１３０によって挿通孔１２０が火災検出装置１の外部に露出することを抑制でき、ガード部１３０への気体の流入性を損なわずに、火災検出装置１の意匠性を維持できる。
【００５３】
（構成−内カバーの構成の詳細）
次に、内カバー３０の構成の詳細について説明する。ただし、この内カバー３０は、特記する場合を除いて、任意の形状、方法、及び材質で製造することができる。
【００５４】
実施の形態では、図４に示すように、内カバー３０に、挿通孔１４０ａ、挿通孔１４０ｂ、第１仕切壁１５０、及び第２仕切壁１６０が設けられている。
【００５５】
（構成−内カバーの構成の詳細−挿通孔）
挿通孔１４０ａは、熱感知部１１０の一部を熱検出空間６２に挿通させるための貫通孔であり、挿通孔１４０ｂは、表示部からの表示光を火災検出装置１の外部に照射するための貫通孔である。これら挿通孔１４０ａ、１４０ｂは、図４に示すように、内カバー３０の下側側部のうち、流入空間４０と対向し且つ挿通孔１２０と対応する部分にそれぞれ設けられている。
【００５６】
（構成−内カバーの構成の詳細−第１仕切壁）
第１仕切壁１５０は、一酸化炭素検出空間６１に流入した気体が熱検出空間６２に流出することを抑制可能となるように、一酸化炭素検出空間６１を仕切るための仕切壁である。この第１仕切壁１５０は、図４に示すように、内カバー３０の内部において、内カバー３０の下側側部から上方に向けて張り出すように設けられている。
【００５７】
また、この第１仕切壁１５０の具体的な構成については任意であるが、実施の形態では、一酸化炭素検出空間６１において流入孔３０ｂ及び一酸化炭素検知部の周囲の少なくとも一部を囲繞するように構成されている。具体的には、この第１仕切壁１５０は、図４に示すように、平面形状が内カバー３０の外側に向けて開放されたコ字状（又は円弧上状等）である板状体に形成されており、第１仕切壁１５０によって一酸化炭素検知部の外周のうち外カバー本体２１側の部分以外の部分が覆われるように配置されている。なお、図４（ａ）に示すように、内カバー３０の側部のうち下側側部から上方に向けて張り出された側部（以下、「周縁側部」と称する）の一部（図４（ａ）では、外カバー本体２１側の部分）が切り欠かれているが、当該切り欠かれた部分が外カバー本体２１によって覆われるので、一酸化炭素検出空間６１に流入した気体が当該切り欠かれた部分を介して外部へ流出することを回避できる。
【００５８】
このような構成により、一酸化炭素検出空間６１に流入した気体が熱検出空間６２に流出することを抑制できる。よって、第１仕切壁１５０を設けない場合に比べて、上記流入した気体によって熱感知部１１０の検出が阻害されることを回避でき、熱の検出精度を維持又は向上することが可能となる。特に、第１仕切壁１５０が、一酸化炭素検出空間６１において流入孔３０ｂ及び一酸化炭素検知部の周囲の一部を囲繞するように構成されているので、流入孔３０ｂを介して一酸化炭素検出空間６１に流入された気体が熱検出空間６２に流出することを効果的に抑制でき、熱の検出精度を維持しやくすくなる。ここで、「上記流入した気体によって熱感知部１１０の検出が阻害される」とは、例えば、一酸化炭素検出空間６１から流入した気体が熱検出空間６２から流出した場合（つまり、一酸化炭素検出空間６１側から熱感知部１１０に向かう気流が発生した場合）に、外部の雰囲気が当該気流に邪魔され、熱検出空間６２及び熱感知部１１０に直接届かなくなることや、一酸化炭素検出空間６１から流入した気体によって熱検出空間６２の通気性が高くなると、熱を含む外部の雰囲気が熱検出空間６２に流入しても吹き抜け易くなることにより、当該外部の雰囲気が熱検出空間６２に留まる時間が短くなること等が該当する。
【００５９】
（構成−内カバーの構成の詳細−第２仕切壁）
第２仕切壁１６０は、流入空間４０に流入した気体が熱検出空間６２に流出することを抑制可能となるように、熱検出空間６２を仕切るための仕切壁である。この第２仕切壁１６０は、図４に示すように、内カバー３０の外部において、内カバー３０の下側側部から下方に向けて張り出すように設けられている。
【００６０】
また、この第２仕切壁１６０の具体的な構成については任意であるが、実施の形態では、流入空間４０において挿通孔１２０、挿通孔１４０ａ、及び熱感知部１１０の周囲の少なくとも一部を囲繞するように構成されている。具体的には、この第２仕切壁１６０は、図４に示すように、筒状体（例えば、円筒状体、角筒状体等）に形成されており、第２仕切壁１６０によって挿通孔１２０、挿通孔１４０ａ、及び熱感知部１１０の各々の外周全体が覆われるように配置されている。また、第２仕切壁１６０の上下方向の長さについては、流入空間４０の上下方向の長さと略同一に設定されていると共に、第２仕切壁１６０の下端部が天面部２２と当接するように、第２仕切壁１６０は配置されているので、流入空間４０に流入した気体が第２仕切壁１６０の下端部と天面部２２との隙間を介して熱検出空間６２に流出することが抑制される。
【００６１】
このような構成により、流入空間４０に流入した気体が熱検出空間６２に流出することを抑制できる。よって、第２仕切壁１６０を設けない場合に比べて、上記流入した気体によって熱感知部１１０の検出が阻害されることを回避でき、熱の検出精度を維持又は向上することが可能となる。特に、第２仕切壁１６０が、流入空間４０において挿通孔１２０、挿通孔１４０ａ、及び熱感知部１１０の各々の周囲全体を囲繞するように構成されているので、流入空間４０に流入した気体が挿通孔１２０又は挿通孔１４０ａを介して熱検出空間６２に流出することを効果的に抑制でき、熱の検出精度を維持しやすくなる。ここで、「上記流入した気体によって熱感知部１１０の検出が阻害される」とは、例えば、流入空間４０から流入した気体が熱検出空間６２から流出した場合（つまり、流入空間４０側から熱感知部１１０に向かう気流が発生した場合）に、外部の雰囲気が当該気流に邪魔され、熱検出空間６２及び熱感知部１１０に直接届かなくなることや、流入空間４０から流入した気体によって熱検出空間６２の通気性が高くなると、熱を含む外部の雰囲気が熱検出空間６２に流入しても吹き抜け易くなることにより、当該外部の雰囲気が熱検出空間６２に留まる時間が短くなること等が該当する。
【００６２】
（構成−内カバーの構成の詳細−その他の構成）
また、第１仕切壁１５０及び第２仕切壁１６０の形成方法については任意であるが、実施の形態では、第１仕切壁１５０及び第２仕切壁１６０と内カバー３０とを相互に一体に形成している。例えば、遮光性を有する樹脂材を射出成形することにより、一体に形成してもよい。これにより、第１仕切壁１５０及び第２仕切壁１６０と内カバー３０とを別体に形成した場合に比べて、第１仕切壁１５０及び第２仕切壁１６０を内カバー３０に取り付ける手間を省略でき、火災検出装置１の製造性を向上できる。また、火災検出装置１の部品数を低減でき、火災検出装置１の製造に伴う環境負荷を低減できる。ただし、これに限らず、例えば、第１仕切壁１５０及び第２仕切壁１６０と内カバー３０とを別体に形成して、第１仕切壁１５０及び第２仕切壁１６０を内カバー３０に対して固定具又は嵌合構造等によって接続してもよい。
【００６３】
（火災検出装置の作用について）
次に、このように構成された火災検出装置１の作用について説明する。
【００６４】
すなわち、例えば、火災検出装置１が設置面２に取り付けられた状態において、火災検出装置１の外部にある気体が流入空間４０及び流入孔３０ｂを介して一酸化炭素検出空間６１に流入すると、第１仕切壁１５０によって当該流入した気体が内カバー３０の内部の空間のうち一酸化炭素検出空間６１以外の他の空間に移動することが阻害される。よって、上記流入した気体が熱検出空間６２に流出することを抑制できる。
【００６５】
また、例えば、火災検出装置１の外部にある気体が流入空間４０に流入すると、第２仕切壁１６０によって当該流入した気体が流入空間４０のうち第２仕切壁１６０の内部空間に移動することが阻害される。よって、上記流入した気体が熱検出空間６２に流出することを抑制できる。
【００６６】
（実施の形態の効果）
このように実施の形態によれば、筐体の内部において、筐体の外部から流入した気体に含まれる第１検出対象の検出を行うための流入空間４０、一酸化炭素検出空間６１、及び煙検出空間６３と、筐体の外部に位置する熱検出空間６２であって、第２検出対象の検出を行うための熱検出空間６２と、筐体に設けられた第１仕切壁１５０及び第２仕切壁１６０であって、流入空間４０又は一酸化炭素検出空間６１に流入した気体が熱検出空間６２に流出することを抑制可能となるように、流入空間４０、一酸化炭素検出空間６１、又は熱検出空間６２を仕切るための第１仕切壁１５０及び第２仕切壁１６０と、を備えたので、流入空間４０又は一酸化炭素検出空間６１に流入した気体が熱検出空間６２に流出することを抑制できる。よって、第１仕切壁１５０及び第２仕切壁１６０を設けない場合に比べて、上記流入した気体によって熱感知部１１０による第２検出対象の検出が阻害されることを回避でき、第２検出対象の検出精度を維持又は向上することが可能となる。
【００６７】
また、筐体の部分のうち流入空間４０と対向する部分に設けられた挿通孔１２０及び挿通孔１４０ａであり、熱感知部１１０の一部を熱検出空間６２に挿通させるための挿通孔１２０及び挿通孔１４０ａを備え、第２仕切壁１６０を、流入空間４０において挿通孔１２０、挿通孔１４０ａ、及び熱感知部１１０の周囲の少なくとも一部を囲繞するように構成したので、流入空間４０に流入した気体が挿通孔１２０及び挿通孔１４０ａを介して熱検出空間６２に流出することを効果的に抑制でき、第２検出対象の検出精度を維持しやすくなる。
【００６８】
また、筐体に設けられた流入孔３０ｂと、第１検出対象を検出するための一酸化炭素検知部とを備え、第１仕切壁１５０を、一酸化炭素検出空間６１において流入孔３０ｂ及び一酸化炭素検知部の周囲の少なくとも一部を囲繞するように構成したので、流入孔３０ｂを介して一酸化炭素検出空間６１に流入された気体が熱検出空間６２に流出することを効果的に抑制でき、第２検出対象の検出精度を維持しやくすくなる。
【００６９】
また、内カバー３０と第１仕切壁１５０及び第２仕切壁１６０とを相互に一体に形成したので、内カバー３０と第１仕切壁１５０及び第２仕切壁１６０とを別体に形成した場合に比べて、第１仕切壁１５０及び第２仕切壁１６０を内カバー３０に取り付ける手間を省略でき、火災検出装置１の製造性を向上できる。また、火災検出装置１の部品数を低減でき、火災検出装置１の製造に伴う環境負荷を低減できる。
【００７０】
また、第１検出対象が煙又は一酸化炭素であり、第２検出対象が熱であるので、煙又は一酸化炭素を含む気体が熱検出空間６２に流出することを抑制でき、熱の検出精度を維持又は向上することが可能となる。
【００７１】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００７３】
（火災検出装置について）
上記実施の形態では、火災検出装置１が内カバー３０を備えていると説明したが、これに限らず、例えば、内カバー３０を省略してよい。この場合には、外カバー２０の内部に第１仕切壁１５０及び第２仕切壁１６０が設けられてもよい。
【００７４】
また、上記実施の形態では、火災検出装置１が一酸化炭素検知部を備えていると説明したが、これに限らず、例えば、一酸化炭素検知部を省略してもよい。この場合には、第１仕切壁１５０を省略できる。
【００７５】
（熱検出空間について）
上記実施の形態では、熱検出空間６２が外カバー２０の外部に位置すると説明したが、これに限らない。例えば、外カバー２０の内部に位置してもよく、一例として、外カバー２０の天面部２２と内カバー３０との相互間に位置してもよい。
【００７６】
また、上記実施の形態では、一酸化炭素検知部が、流入孔３０ｂの近傍位置に設けられていると説明したが、これに限らない。例えば、流入孔３０ｂから離れた位置に設けられてもよく、一例として、挿通孔１２０の近傍位置に設けられてもよい。
【００７７】
（内カバーについて）
上記実施の形態では、流入孔３０ｂが、内カバー３０の下側側部に１つ設けられていると説明したが、これに限らない。例えば、内カバー３０の下側側部のうち一酸化炭素検出空間６１に対向する部分に複数設けられてもよい。
【００７８】
（仕切壁について）
上記実施の形態では、第１仕切壁１５０が、一酸化炭素検出空間６１において流入孔３０ｂ及び一酸化炭素検知部の周囲の一部のみを囲繞するように構成されていると説明したが、これに限らず、例えば、流入孔３０ｂ及び一酸化炭素検知部の周囲全体を囲繞するように構成されてもよい。
【００７９】
また、上記実施の形態では、流入空間４０において挿通孔１２０、挿通孔１４０ａ、及び熱感知部１１０の周囲全体を囲繞するように構成されていると説明したが、これに限らず、例えば、挿通孔１２０、挿通孔１４０ａ、及び熱感知部１１０の周囲の一部のみを囲繞するように構成されてもよい。
【００８０】
また、上記実施の形態では、第１仕切壁１５０及び第２仕切壁１６０が設けられていると説明したが、これに限らず、例えば、熱の検出精度を維持できる場合には、第１仕切壁１５０又は第２仕切壁１６０のいずれか一方を省略してもよい。
【００８１】
（付記）
付記１の火災検出装置は、監視領域の火災を検出するための火災検出装置であって、筐体と、前記筐体の内部において、前記筐体の外部から流入した気体に含まれる第１検出対象の検出を行うための第１検出空間と、前記筐体の内部又は外部に位置する第２検出空間であって、第２検出対象の検出を行うための第２検出空間と、前記筐体に設けられた仕切壁であって、前記第１検出空間に流入した前記気体が前記第２検出空間に流出することを抑制可能となるように、前記第１検出空間又は前記第２検出空間を仕切るための仕切壁と、を備えた。
【００８２】
また、付記２の火災検出装置は、付記１に記載の火災検出装置において、前記第１検出空間は、前記第１検出対象の検出が行われる第１検出空間本体と、前記第１検出対象を含む前記気体を前記第１検出空間本体に流入させるための流入空間と、を含み、前記筐体の部分のうち前記流入空間と対向する部分に設けられた挿通孔であり、前記第２検出対象を検出するための第２検出対象検出手段であって前記筐体に収容されている第２検出対象検出手段の一部を前記第２検出空間に挿通させるための挿通孔を備え、前記仕切壁を、前記流入空間において前記挿通孔及び前記第２検出対象検出手段の周囲の少なくとも一部を囲繞するように構成した。
【００８３】
また、付記３の火災検出装置は、付記１に記載の火災検出装置において、前記筐体に設けられた流入孔であり、前記第１検出対象を含む前記気体を前記第１検出空間に流入させるための流入孔と、前記第１検出対象を検出するための第１検出対象検出手段であって、前記第１検出空間に収容された第１検出対象検出手段と、を備え、前記仕切壁を、前記第１検出空間において前記流入孔及び前記第１検出対象検出手段の周囲の少なくとも一部を囲繞するように構成した。
【００８４】
また、付記４の火災検出装置は、付記１から３のいずれか一項に記載の火災検出装置において、前記筐体と前記仕切壁とを相互に一体に形成した。
【００８５】
また、付記５の火災検出装置は、付記１から４のいずれか一項に記載の火災検出装置において、前記第１検出対象は、煙又は一酸化炭素であり、前記第２検出対象は、熱である。
【００８６】
（付記の効果）
付記１に記載の火災検出装置によれば、筐体の内部において、筐体の外部から流入した気体に含まれる第１検出対象の検出を行うための第１検出空間と、筐体の外部に位置する第２検出空間であって、第２検出対象の検出を行うための第２検出空間と、筐体に設けられた仕切壁であって、第１検出空間に流入した気体が第２検出空間に流出することを抑制可能となるように、第１検出空間又は第２検出空間を仕切るための仕切壁と、を備えたので、第１検出空間に流入した気体が第２検出空間に流出することを抑制できる。よって、仕切壁を設けない場合に比べて、上記流入した気体によって検出手段による第２検出対象の検出が阻害されることを回避でき、第２検出対象の検出精度を維持又は向上することが可能となる。
【００８７】
付記２に記載の火災検出装置によれば、筐体の部分のうち流入空間と対向する部分に設けられた挿通孔であり、第２検出対象検出手段の一部を第２検出空間に挿通させるための挿通孔を備え、仕切壁を、流入空間において挿通孔及び第２検出対象検出手段の周囲の少なくとも一部を囲繞するように構成したので、流入空間に流入した気体が挿通孔を介して第２検出空間に流出することを効果的に抑制でき、第２検出対象の検出精度を維持しやすくなる。
【００８８】
付記３に記載の火災検出装置によれば、筐体に設けられた流入孔と、第１検出対象を検出するための第１検出対象検出手段とを備え、仕切壁を、第１検出空間において流入孔及び第１検出対象検出手段の周囲の少なくとも一部を囲繞するように構成したので、流入孔を介して第１検出空間に流入された気体が第２検出空間に流出することを効果的に抑制でき、第２検出対象の検出精度を維持しやくすくなる。
【００８９】
付記４に記載の火災検出装置によれば、筐体と仕切壁とを相互に一体に形成したので、筐体と仕切壁とを別体に形成した場合に比べて、仕切壁を筐体に取り付ける手間を省略でき、火災検出装置の製造性を向上できる。また、火災検出装置の部品数を低減でき、火災検出装置の製造に伴う環境負荷を低減できる。
【００９０】
付記５に記載の火災検出装置によれば、第１検出対象が煙又は一酸化炭素であり、第２検出対象が熱であるので、煙又は一酸化炭素を含む気体が第２検出空間に流出することを抑制でき、熱の検出精度を維持又は向上することが可能となる。
【符号の説明】
【００９１】
１  火災検出装置
２  設置面
１０  取付ベース
２０  外カバー
２１  外カバー本体
２２  天面部
２３  第１リブ部
２４  第２リブ部
３０  内カバー
３０ａ  第１開口部
３０ｂ  流入孔
４０  流入空間
５０  防虫網
６１  一酸化炭素検出空間
６２  熱検出空間
６３  煙検出空間
７０  検出部カバー
７０ａ  第２開口部
８０  検出部本体
９０  端子盤
９１  取付部材
９１ａ  第１取付孔
９１ｂ  第２取付孔
１００  基板
１１０  熱感知部
１２０  挿通孔
１３０  ガード部
１３１  ガード側リブ
１４０ａ  挿通孔
１４０ｂ  挿通孔
１５０  第１仕切壁
１６０  第２仕切壁
【図１】
2020035296.tif 000003
【図２】
2020035296.tif 000004
【図３】
2020035296.tif 000005
【図４】
2020035296.tif 000006